(57)【要約】【課題】音響による音楽効果と振動効果の相乗作用により入浴時のリラクセーション効果を高めることができる浴槽用座椅子を提供する。【解決手段】ステンレス製で、中空状の水密構造をなす座部２と、該座部２と一体の背もたれ部３よりなり、背もたれ部上端にはダクト４が接続され、ダクト上端には浴槽外に設置したＣＤプレイヤーやカセットデッキ６接続されるスピーカ５が内蔵され、スピーカ５から発生する音楽や振動がダクト４を通して座部２や背もたれ部３に伝わるようにする。【選択図】図１
2006192216.tif 000002
【特許請求の範囲】
【請求項１】
浴槽内に取外し可能に設置され、少なくとも一部が中空状の水密構造をなす座部及び背もたれ部と、座部又は背もたれ部に接続され、浴槽外に設置した音響機器より音楽を導入するダクトよりなることを特徴とする浴槽用座椅子等。
【請求項２】
浴槽内に立て掛けられて取外し可能に設置され、少なくとも一部が中空状の水密構造をなす背もたれと、該背もたれに接続され、浴槽外に設置した音響機器より音楽を導入するダクトよりなることを特徴とする浴槽用座椅子等。
【請求項３】
浴槽底に取外し可能に設置され、少なくとも一部が中空状の水密構造をなす座体と、該座体に接続され、浴槽外に設置した音響機器より音楽を導入するダクトよりなることを特徴とする浴槽用座椅子等。
【請求項４】
請求項１ないし３の浴槽用座椅子等が浴槽内に複数配置されると共に、各浴槽用座椅子にそれぞれ個別に接続されるダクトがヘッダーに接続され、浴槽外に設置した音響機器より音楽がヘッダーより各ダクトを通じて各浴槽用座椅子等に導入されることを特徴とする。
【請求項５】
上述する浴槽用座椅子等において、音響機器のうち少なくともスピーカを座部及び若しくは背もたれ部、背もたれ、或いは座体内に設置すると共に、ダクトを省いたことを特徴とする請求項１ないし３のいずれかの請求項に記載の浴槽用座椅子等。
【請求項６】
音楽を発生させ、かつ浴槽に振動を与える音響機器のうち、少なくともスピーカを浴槽外側に設置したことを特徴とする浴槽。
【発明の詳細な説明】
【技術分野】
【０００１】
本発明は、音響により入浴中のリラクセーション効果を高めることができる浴槽、或いは入浴中のリラクセーション効果を高めるため浴槽内に取外し可能に設置される座椅子、背もたれ、座体（本明細書では、これら座椅子、背もたれ、座体を単に座椅子等という）に関する。
【背景技術】
【０００２】
入浴は、リラクセーション効果をもたらすが、その効果を高めるために風呂に気泡、ジェット水流、超音波を発生させたり、或いは打たせ湯、シャワー等が併用されており、このほか下記特許文献１には、マッサージ器や超音波発振器よりなる血行促進装置を備えた浴槽用車椅子が開示されている。
【特許文献１】特開平１０−２９５７７３号公報
【発明の開示】
【発明が解決しようとする課題】
【０００３】
日常生活において、リラクセーション効果を高める方法の一つに音楽鑑賞がある。
本発明は、音響による音楽効果と振動効果の相乗作用により入浴時のリラクセーション効果を高めることができる浴槽、或いは浴槽用座椅子等を提供することを目的とする。
【課題を解決するための手段】
【０００４】
本発明の浴槽用座椅子等は、浴槽内に取外し可能に設置され、少なくとも一部が中空状の水密構造をなす座部及び背もたれ部と、座部好ましくは背もたれ部に接続され、浴槽外に設置した音響機器より音楽を導入するダクトよりなることを特徴とし、
別の発明の浴槽用座椅子等は、浴槽内に立て掛けられて取外し可能に設置され、少なくとも一部が中空状の水密構造をなす背もたれと、該背もたれに接続され、浴槽外に設置した音響機器より音楽を導入するダクトよりなることを特徴とする。
【０００５】
また別の発明の浴槽用座椅子等は、浴槽底に取外し可能に設置され、少なくとも一部が中空状の水密構造をなす座体と、該座体に接続され、浴槽外に設置した音響機器より音楽を導入するダクトよりなることを特徴とする。
【０００６】
更に別の発明においては、上述する浴槽用座椅子等が浴槽内に複数配置されると共に、各浴槽用座椅子にそれぞれ個別に接続されるダクトがヘッダーに接続され、浴槽外に設置した音響機器より音楽がヘッダーより各ダクトを通じて各浴槽用座椅子等に導入されることを特徴とする。
上述する座部、背もたれ部、背もたれ、座体等の材質としては通常、亜鉛メッキ鋼板、ステンレス等の金属が用いられるが、硬質樹脂を用いることもできる。
【０００７】
更に別の発明の浴槽用座椅子等は、上述する浴槽用座椅子等において、音響機器、好ましくはそのうちのスピーカを座部及び若しくは背もたれ部、背もたれ、或いは座体内に設置すると共に、ダクトを省いたことを特徴とする。
【０００８】
本発明の浴槽は、音楽を発生させ、かつ浴槽に振動を与える音響機器のうち、少なくともスピーカを浴槽外側に設置したことを特徴とする。
【０００９】
上記音響機器或いはスピーカは、市販の浴槽に対し、その外側に直接取付けてもよいし、浴槽外側に凹部を形成し、該凹部内に取付けるようにしてもよい。
【００１０】
上記各発明で用いる音響機器としては、例えばＣＤプレイヤーやカセットデッキとスピーカーからなるもの、ラジオなどを挙げることができる。
【発明の効果】
【００１１】
本発明によると、入浴中、音楽を聴きながら浴槽、座部及び若しくは背もたれ部、背もたれ或いは座体から振動が与えられ、入浴によるリラクセーション効果と、音響と振動の相乗効果により入浴時のリラクセーション効果がより一層向上する。
また、浴槽内に浴槽用座椅子等を複数配置した場合は、同時に入浴する複数の人に対してリラクセーション効果をもたらすことができる。
【発明を実施するための最良の形態】
【００１２】
図１に示す座椅子等としての座椅子は、浴槽１に設置され、ステンレス製で、中空状の水密構造をなす座部２と、該座部２と一体の背もたれ部３よりなり、背もたれ部３端にはダクト４が連結されているもので、ダクト上端には浴槽外に設置したＣＤプレイヤーやカセットデッキ或いはアンプよりなる音響機器６に接続されるスピーカ５が内蔵され、スピーカ５から発生する音楽や振動がダクト４を通して座部２や背もたれ部３に伝わるようにしてある。
【００１３】
座椅子を複数の人が同時に利用する、例えば公衆浴場の浴槽に設置する場合には、図２に示すように浴槽８内に上述する座椅子が壁面に沿って複数並設され、各座椅子の背もたれ部３にそれぞれ個別に連結されるダクト９がヘッダー１１に接続され、スピーカー５から発生する音楽や振動がヘッダー１１より各ダクト９を通して座部２および背もたれ部３に伝わるようにしてある。
背もたれ部３にもたれかかって座部２に座った入浴時においては、音楽を聴きながら座部２や背もたれ部３から振動が伝わり、リラクセーション効果が与えられる。
【００１４】
図３に示す座椅子は、ダクト４を省き、背もたれ部３にスピーカー５を内蔵したボックス１３を取付けたものである。
【００１５】
図４に示す座椅子等としての背もたれ１５は、ステンレス製で、中空状の水密構造をなし、引掛部１６を浴槽１内に引掛けて立て掛けられるようになっており、図１に示す座椅子等と同様、引掛部１６には外部の音響機器６に接続されるスピーカ５を内蔵したダクト４が連結され、スピーカ５から発生する音楽や振動がダクト４を通じて背もたれ１５に伝わるようにしてある。
【００１６】
図５に示す座椅子等としての座体１７は、同じくステンレス製で中空状の水密構造をなして市販のステンレス製の浴槽１８の、浴槽底に敷かれるようになっており、内部には外部の音響機器６に接続される、いわゆる壁掛けスピーカと称される薄型スピーカ１９が内蔵されている。そして座体１７から音楽が流れ、振動が発生できるようになっている。
【００１７】
図６に示す浴槽２１は、図５に示すような市販のステンレス製の浴槽１の外側に薄型スピーカ１９を取付け、浴槽２１から音楽が流れ、振動が発生できるようにしている。
【産業上の利用可能性】
【００１８】
本発明は、家庭の浴槽に設置されるほか、例えば温泉、ホテル、公衆浴場、老人ホームや病院、各種健康センター等の浴槽に適用することができる。
【図面の簡単な説明】
【００１９】
【図１】本発明に係わる座椅子を設置した浴槽の概略断面図。
【図２】座椅子が並設される浴槽の要部の断面図。
【図３】座椅子の別の例の概略断面図。
【図４】本発明に係わる背もたれを取付けた浴槽の概略断面図。
【図５】本発明に係わる座体を設置した浴槽の概略断面図。
【図６】本発明に係わる浴槽の概略断面図。
【符号の説明】
【００２０】
１、８、１８、２１・・浴槽
２・・座部
３・・背もたれ部
４、１９・・ダクト
５・・スピーカ
６・・ＣＤプレイヤーやカセットデッキ
１１・・ヘッダー
１３・・ボックス
１５・・背もたれ
１６・・引掛部
１７・・座体
１９・・薄型スピーカ
【図１】
2006192216.tif 000003
【図２】
2006192216.tif 000004
【図３】
2006192216.tif 000005
【図４】
2006192216.tif 000006
【図５】
2006192216.tif 000007
【図６】
2006192216.tif 000008